(57)【要約】      （修正有）【課題】白金ナノコロイドの白金粒子を、生地を構成する繊維の表面に付着させることで、抗菌効果や消臭効果、アンチエイジング効果、美肌効果、美髪効果、健康維持効果を高めるタオルを提供する。【解決手段】本タオルは、白金をナノサイズの微小粒子にした白金ナノコロイド１の水溶液に浸し、乾燥させることで、生地を構成する繊維２の表面に該白金ナノコロイド１を定着させたことを特徴とするものである。【選択図】図１
0003161020.tif 000002
【実用新案登録請求の範囲】
【請求項１】
白金粒子が分散した白金ナノコロイドの水溶液に浸し、乾燥させることで、生地を構成する繊維の表面に上記白金ナノコロイドの上記白金粒子を定着させたことを特徴とするタオル。
【請求項２】
少なくとも一部の領域に、白金粒子が分散した白金ナノコロイドの水溶液を噴霧し、乾燥させることで、該一部の領域に係る生地を構成する繊維の表面に上記白金ナノコロイドの上記白金粒子を定着させたことを特徴とするタオル。
【請求項３】
表裏２面を有するタオルにおいて、一方の面に、白金粒子が分散した白金ナノコロイドの水溶液を噴霧し、乾燥させることで、生地を構成する繊維の上記一方の面の表面に上記白金ナノコロイドの上記白金粒子を定着させたことを特徴とするタオル。
【請求項４】
白金粒子が分散した白金ナノコロイドの水溶液に浸し、乾燥させることで、生地を構成する繊維の表面に上記白金ナノコロイドの上記白金粒子を定着させた後、
更に一部の領域に、上記白金粒子が分散した上記白金ナノコロイドの水溶液を噴霧し、乾燥させることで、該一部の領域に係る生地を構成する繊維の表面に上記白金ナノコロイドの上記白金粒子を更に定着させたことを特徴とするタオル。
【請求項５】
上記一部の領域とは、使用時に人の体、髪、顔及び肌が当接する領域であることを特徴とする請求項２又は４のいずれかに記載のタオル。
【考案の詳細な説明】
【技術分野】
【０００１】
本考案は、タオルに関する。
【背景技術】
【０００２】
従来、例えば、ハンドタオル、フェイスタオル、ボディタオル、バスタオル、スポーツタオル、ビーチタオル等のタオルは、使用時に人の肌に密着するものであることから、抗菌性や消臭性等が求められている。
【０００３】
このような要求に鑑み、例えば特許文献１では、パイル糸、経地糸及び緯地糸又はパイル糸、締糸、経地糸及び緯地糸からなるタオルであって、パイル糸、締糸、経地糸又は緯地糸の少なくとも１つが、抗菌性ゼオライトを練り込んだ繊維からなる糸条、又は、抗菌性ゼオライトを練り込んだ繊維を混綿あるいは撚合させてなる糸条である抗菌性タオルが開示されている。
【先行技術文献】
【特許文献】
【０００４】
【特許文献１】実公平６−４９２７８号公報
【考案の概要】
【考案が解決しようとする課題】
【０００５】
しかしながら、前述した先行技術は、抗菌効果に着目したもので、消臭効果やアンチエイジング効果、美肌効果、美髪効果、疲労回復効果、健康維持効果には着目されていない。
【０００６】
今日では、白金をナノサイズの微小粒子にした所謂「白金ナノコロイド」が、これら全ての効果を高めるものとして注目されているが、白金ナノコロイドを利用したタオルは実現されていないのが実状である。
【０００７】
そこで、本考案は、上述の技術的な課題に鑑みて、白金ナノコロイドの白金粒子を、生地を構成する繊維の表面に付着させることで、抗菌効果や消臭効果、アンチエイジング効果、美肌効果、美髪効果を高めるタオルを提供することを目的とする。
【課題を解決するための手段】
【０００８】
上述技術的な課題を解決するため、本考案の第１の態様に係るタオルは、白金粒子が分散した白金ナノコロイドの水溶液に浸し、乾燥させることで、生地を構成する繊維の表面に上記白金ナノコロイドの上記白金粒子を定着させたことを特徴とする。
【０００９】
本考案の第２の態様に係るタオルは、少なくとも一部の領域に、白金粒子が分散した白金ナノコロイドの水溶液を噴霧し、乾燥させることで、該一部の領域に係る生地を構成する繊維の表面に上記白金ナノコロイドの上記白金粒子を定着させたことを特徴とする。
【００１０】
本考案の第３の態様に係るタオルは、表裏２面を有するタオルにおいて、一方の面に、白金粒子が分散した白金ナノコロイドの水溶液を噴霧し、乾燥させることで、生地を構成する繊維の上記一方の面の表面に上記白金ナノコロイドの上記白金粒子を定着させたことを特徴とする。
【００１１】
本考案の第４の態様に係るタオルは、白金粒子が分散した白金ナノコロイドの水溶液に浸し、乾燥させることで、生地を構成する繊維の表面に上記白金ナノコロイドの上記白金粒子を定着させた後、更に一部の領域に、上記白金粒子が分散した上記白金ナノコロイドの水溶液を噴霧し、乾燥させることで、該一部の領域に係る生地を構成する繊維の表面に上記白金ナノコロイドの上記白金粒子を更に定着させたことを特徴とする。
【００１２】
上記一部の領域とは、使用時に人の体、髪、顔及び肌が当接する領域であってよい。
【考案の効果】
【００１３】
本考案に係るタオルによれば、白金ナノコロイドの白金粒子を、生地を構成する繊維の表面に付着させることで、抗菌効果や消臭効果、アンチエイジング効果、美肌効果、美髪効果を高めることが可能となる。
【図面の簡単な説明】
【００１４】
【図１】（ａ）及び（ｂ）は本考案の実施形態に係るタオルの生地を構成する繊維に白金ナノコロイドを付着した様子を示す概念図である。
【図２】本考案の一実施形態に係るタオルの構成図である。
【考案を実施するための形態】
【００１５】
以下、本考案のタオルに係る好適な実施形態について図面を参照しながら説明する。本考案のタオルは、以下の記述に限定されるものではなく、本考案の要旨を逸脱しない範囲において、適宜変更可能である。
【００１６】
尚、本願において「タオル」とは、例えばハンドタオル、フェイスタオル、ボディタオル、バスタオル、スポーツタオル、ビーチタオル等を概念上含むものとする。
【００１７】
先ず、図１を参照して、本実施形態の基本概念を説明する。
【００１８】
図１（ａ）、（ｂ）は、タオルの生地を構成する繊維に白金ナノコロイドを付着させた様子を示している。これらの図に示されるように、タオルの生地を構成する繊維２には、白金ナノコロイド１が付着されている。より具体的には、下着を白金ナノコロイド１の水溶液に浸した後、乾燥させることで、該タオルの生地を構成する繊維の表面に白金ナノコロイド１の白金粒子が定着することになる。或いは、タオルに霧吹き等で白金ナノコロイド１の水溶液を噴霧し、乾燥させることで、該タオルの生地を構成する繊維の表面に白金ナノコロイド１の白金粒子が定着することになる。
【００１９】
ここで、「白金ナノコロイド」とは、白金をナノサイズの微小粒子にした白金粒子が均一に分散した状態のものである。なお、図１（ｂ）においては説明の便宜上、白金ナノコロイド１を実際よりも大きくして図示している。白金ナノコロイド１の白金粒子の平均粒径は、例えば１〜１０ｎｍとなっている。この場合、白金ナノコロイドの水溶液とは、平均粒径が１〜１０ｎｍの白金粒子が均一に分散された白金ナノコロイドの水溶液である。但し、これに限定されないことは勿論である。
【００２０】
白金ナノコロイドは、白金の触媒作用によって皮膚表面等の活性酸素を除去する抗酸化作用を有している。特に、十数種類ある活性酸素のほぼ全ての活性酸素を除去する効果が認められている。さらに、白金ナノコロイドは触媒として作用するために、持続的に抗酸化作用を発揮することができる。これにより、アンチエイジング、美肌、美髪効果が奏される。さらに、消臭効果、抗菌効果も奏される。白金ナノコロイドの中には、社団法人繊維評価技術評議会が定める「防奥抗菌加工／制菌加工繊維製品」のＳＥＫマークの特定赤マークを取得したものもある。また、白金自体は食品添加物として厚生労働省より認可が下りているものであるのである。従って、安全性は十分である。
【００２１】
以下、本考案の一実施形態について説明する。
【００２２】
図２は本考案の一実施形態に係るタオルの構成図である。
【００２３】
図２に示されるように、タオル１０の生地を構成する繊維の表面には白金ナノコロイドが付着されている。即ち、より具体的には、タオル１０を白金ナノコロイドの水溶液に浸した後、乾燥させることで、該タオル１０の生地を構成する繊維の表面に白金ナノコロイドの白金粒子を定着させている。タオル１０の所定領域にのみ、霧吹きで白金ナノコロイドの水溶液を噴霧して、乾燥させることで、該所定領域にのみ白金ナノコロイドの白金粒子を定着させるようにしてもよい。
【００２４】
また、タオル１０を白金粒子が分散した白金ナノコロイドの水溶液に浸し、乾燥させることで、生地を構成する繊維の表面に白金ナノコロイドの白金粒子を定着させた後、更にタオル１０の生地の所定領域に白金ナノコロイドの水溶液を噴霧し、乾燥させることで、該所定領域に係る生地を構成する繊維の表面に白金ナノコロイドの白金粒子を更に定着させてもよい。
【００２５】
従って、本実施形態によれば、使用している最中に、白金ナノコロイドの抗酸化作用により、人の皮膚表面等の活性酸素が除去され、アンチエイジング、美肌効果、美髪効果が奏される。さらに、消臭効果、抗菌効果も奏される。
【００２６】
以上説明したように、本考案の実施形態によれば、繊維で構成された生地を加工したタオルであって、ナノサイズ（例えば、平均粒径が１〜１０ｎｍ）の白金粒子が分散した白金ナノコロイドの水溶液に浸し、乾燥させることで、生地を構成する繊維の表面に上記白金ナノコロイドの上記白金粒子を定着させたことを特徴とするタオルが提供される。
【００２７】
更に、繊維で構成された生地を加工したタオルであって、少なくとも一部の領域に、ナノサイズ（例えば、平均粒径が１〜１０ｎｍ）の白金粒子が分散した白金ナノコロイドの水溶液を噴霧し、乾燥させることで、該一部の領域に係る生地を構成する繊維の表面に上記白金ナノコロイドの上記白金粒子を定着させたことを特徴とするタオルが提供される。
【００２８】
さらに、表裏２面を有するタオルにおいて、一方の面に、ナノサイズ（例えば、平均粒径が１〜１０ｎｍ）の白金粒子が分散した白金ナノコロイドの水溶液を噴霧し、乾燥させることで、生地を構成する繊維の上記一方の面の表面に上記白金ナノコロイドの上記白金粒子を定着させたことを特徴とするタオルが提供される。
【００２９】
さらに、繊維で構成された生地を加工したタオルであって、ナノサイズ（例えば、平均粒径が１〜１０ｎｍ）の白金粒子が分散した白金ナノコロイドの水溶液に浸し、乾燥させることで、生地を構成する繊維の表面に上記白金ナノコロイドの上記白金粒子を定着させた後、更に一部の領域に、ナノサイズ（例えば、平均粒径が１〜１０ｎｍ）の白金粒子が分散した白金ナノコロイドの水溶液を噴霧し、乾燥させることで、該一部の領域に係る生地を構成する繊維の表面に上記白金ナノコロイドの上記白金粒子を更に定着させたことを特徴とするタオルが提供される。
【００３０】
なお、上記一部の領域とは、使用時に人の体、髪、顔及び肌が当接する領域であってよい。
【００３１】
以上、本考案の実施形態について説明したが、本考案はこれに限定されることなく、その趣旨を逸脱しない範囲で種々の改良・変更が可能であることは勿論である。
【符号の説明】
【００３２】
１  白金ナノコロイド
２  繊維
１０  タオル
【図１】
0003161020.tif 000003
【図２】
0003161020.tif 000004